(57)【要約】      （修正有）【課題】ドライバーや歩道を渡る通行人が交通信号機の信号灯器（以下ライトという）を見た場合に、瞬時に判断でき、直射日光に反射して誤認することがなく、軽量、かつ、コンパクトで、街灯との識別が容易で、狭い空間にも設置可能な交通信号機を提供する。【解決手段】一個のＬＥＤに緑（青）、黄、赤の三つの素子を内臓し、そのＬＥＤを複数個使用して信号機のライトを構成する。そのライトの緑（青）、黄、赤の円形を縦又は横に絡み連なった形状にし、そのライトを制御機器により点灯させる。更に、そのライトに曲線形状の方向矢印を加え、その方向矢印は赤又は黄の円の中心軸を基点に任意の方向に順次点灯する。つまり、方向矢印を順次小刻みに形成しながら点灯し、消える時も順次小刻みに消灯する。消える前には、従来の黄ライトに相当するために、その方向矢印を点滅する。【選択図】図１６
2016157406.tif 000002
【特許請求の範囲】
【請求項１】
ＬＥＤ発光体一個に、緑（青）；黄；赤の三個の光源（素子）を内蔵した構造のＬＥＤ発光体を複数個使用して交通信号機のライトの表示体とした、そのライトの形状を３個の円（緑又は青；黄；赤）が縦ないし横に絡み連なった形状にし、ライトをコンパクトにした、その幅は、限りなく一つの円に近くなるものから三個の円が離れる寸前まで幅広いものまであるようにした、ライトの配列は、縦の配列の場合は、下から上に緑（青）；黄；赤の順に並べた、その順に光色するようにした、横の配列の場合、左から右に緑又は青：黄：赤の順にし、その順にライトが光色するようにした交通信号機。
【請求項２】
請求項１のライトが、赤又、黄の表示の円において、緑（青）の任意の方向矢印を加えた、その方向矢印の形状は曲線の形にした、その矢印は、円の中心軸を基点に指示方向へ曲線を描いて示した、その方向矢印は、円内の一部分を共有して円外に突き出して示した交通信号機。
【請求項３】
請求項２の緑（青）の方向矢印は、ライトが赤の表示の円において、任意の時に、下方から指示方向に、順次小刻みに形成しながら点灯するようにするとともに、又消灯するときは下方から任意の時に、順次小刻みに消灯していくようにもした交通信号機。
【請求項４】
請求請２の方向矢印が予告信号として、ライトが赤の円が表示している時間に、任意の時に任意の時間、方向矢印を点滅にした交通信号機。
【請求項５】
交通信号機のライトの光を光明コントロール機器により、そのライトの照度を自動的に調整できる交通信号機。
【発明の詳細な説明】
【技術分野】
【０００１】本発明は、ＬＥＤ一個の内蔵に、（緑又は青：黄：赤）の素子をいれたＬＥＤを複数個活用して、その信号機のライトに応用した、そのライトの形状は三個の円が、縦又は横に絡み連なった形状にした交通信号機に関する。【０００２】又そのライトの中に方向矢印を加えた、その方向矢印の形状は、曲線の形にした、その矢印は円の中心軸を基点に指示方向へ曲線を描いて示した、赤又は、黄の円が点灯したとき、そのライトの円内の一部分を共有して円外に突き出して示した、又矢印を任意の時に任意の時間、点灯するようにした、又任意の時に任意の時間点滅にした、この作動は、従来の黄のライトに相当する、その方向矢印は、赤の円の中心を基点に表示するとともに、又黄の円においても矢印を表示するようにもした、又もう一つの方法として、方向矢印を順次小刻みに出現形成していくようにもした、消灯するときも、矢印の形が順次小刻みに消灯していくようにした、又信号機のライトの光の明るさを自動的に調整する。
【背景技術】
【０００３】一般に交通信号機には、緑光ライト（日本では青光ライト）、黄光ライト、赤光ライトの三個のライトが各々分離されて備えられていた、他に緑（青）光色で点灯する方向矢印のライトも分離されて備えられていた、又方向矢印が消えるまえに予告のために黄の円が点灯した、ＬＥＤを使用している場合でも、一個のライトで一光色を点灯するようにライトがＬＥＤで構成されている、ＬＥＤ自体は単光源単光色であり、したがって緑（青）光、黄光、赤光を点灯する場合、三個のライトを必要とした、また必要に応じて方向矢印のライトが加えられていた、又方向矢印を入れると複数のライトを必要とした。
【発明の開示】
【発明が解決しようとする課題】
【０００４】従来の交通信号機では、緑（青）光ライトと、黄光ライト、赤光ライト、緑（青）方向矢印ライトが各々分離されて備えられていた、そのため信号機の重量が重くなっていた、また分離されているため瞬時に判断しづらいこともあった、緑（青）→黄→赤→方向矢印→黄→赤と点灯するが、このように赤になるまえに予告のために黄のライトが点灯するが、又矢印が消えるまえにも、又黄ライトが点灯する、この作動は重複して無駄な作動である、直射日光が当たり認識することが困難な場合もあり、うすれて見えにくい場合もある、また、場所によっては設置場所が狭い困難な空間もあった。
【課題を解決するための手段】
【０００５】そこで本発明は課題を解決すべく研究を重ねた結果創案されたもので、ＬＥＤ発光体一個に、緑（青）色；黄色；赤色の三つの光源（素子）を内蔵した、その構造のＬＥＤ発光体を複数個使って信号機のライトに活用した、このライトを三個の円が絡み連なったライトの形状にした、そのライトを制御装置の作動で緑（青）―黄―赤の光色の順に連続して点灯するようにした。【０００６】又そのライトの円内が赤の表示になったとき、時間差をもうけて緑（青）の方向矢印を表示できるようにした、この方向矢印の形状は、曲線の形にした、その方向矢印は円の中心基点から指示方向へ曲線を描いてしめした、又ライトの赤の円内の一部分を共有するとともに、その円外に突き出した方向矢印として示す、また任意の時に任意の方向に示すことが出来るようにした、又ライトの円内が黄の表示になった時も、その円内の一部分を共有して方向矢印を示す、そのライトはドライバーが見た場合、瞬時に判断できる、また、分離していたライトを一個のようにまとめてコンパクトにした、また矢印を小刻みに順次出現形成して点灯するようにした、また時間の間隔をおいて順次消灯していくようにした、これによりドライバーは方向を間違わなく直ぐに判断できる、又もうひとつのやり方は、予告信号として、矢印が消えるまえに、任意の時に、任意の時間に、矢印を点滅にした、これにより黄のライトを点灯することなく、直ぐに赤のライトに移れる。
【発明の効果】
【０００７】ドライバーや歩道を渡る通行人が交通信号機を見た場合、瞬時に判断できる、直射日光に反射して誤認することがなくなる、交通信号機自体を軽量化でき、又街灯と識別することが出来る、狭い空間でもライトを設置することが出来る、又ライトをコンパクトにすることが出来る。
【発明を実施するための最良の形態】
【０００８】上記指摘たような本発明の実施するための形態の若干例を添付図面などを利用しながら説明する、図１は、交通信号機の全体図である、そのライトを詳細に説明する、発光ダイオード（ＬＥＤ）１個の中に、緑（青）素子１８、黄素子１９、赤素子２０三つの光源（素子）を内臓した、その下方の部分に電極マイナス側のカソード（Ｋ）緑（青）の素子に連結する足１５、カソード（Ｋ）黄の素子に連結する足１６、カソード（Ｋ）赤の素子に連結する足１７と、電極プラス側のアノード（Ａ）に連結する足１４を設けた（図２）参照、図３には、そのＬＥＤの回路図を示した。【０００９】図４では、電源（バッテリー）と制御機器でＬＥＤを駆動させる配線図である、制御機器からの配線２５から（Ｋ）緑；青１５の足へ、配線２６から（Ｋ）黄１６の足へ、配線２７から（Ｋ）赤１７の足へ配線を接続した、それを通電させると緑（青）、黄、赤と順次点灯していく。【００１０】一個のＬＥＤで、緑→黄→赤（図５参照）、又は青→黄→赤（図６参照）と点灯する。このＬＥＤ１を複数個使用して信号機のライト２に活用した、そのライト２を基板上に設置し、その裏面には、配線２４、配線２５、配線２６、配線２７を設けた（図７参照）。【００１１】交通信号機のライトの中のＬＥＤ１の配列は直線状と同心円状とを混合して配列した（図８参照）、そのライトのその外枠１０の中に赤の円１１、黄の円１２、緑（青）の円１３を設けた（図９参照）、信号機の形は三個の円が、縦に絡み連なった形状にした、これにより色盲の人でも確認することができる。【００１２】図１０で制御機器４からの配線を、ライトの緑（青）、黄、赤に接続した、配線２５→ライトの緑（青）の円中のＬＥＤに、配線２６→ライトの黄の円中のＬＥＤに、配線２７→赤の円中のＬＥＤに接続した、それで信号機のライトが緑→黄→赤と点灯する（図１１参照）、又青→黄→赤と点灯する（図１２参照）。【００１３】図１３で、ライトの三個の円が、縦にからみ連なった形状の円が、限りなく一つの円に近いいところから、三個の円が離れる寸前まで幅広いことを示した、図１４では、信号機のライトの三個の円を、外枠１０の中に、赤ライト枠１１、黄ライト枠１２、緑（青）ライト枠１３と限りなく一つの円に近くなることを示した、又図１５では、三個のライトの円が離れる前の寸前までを示した。【００１４】図１６では、ライトが縦に絡み連なった形状のライトにおいて、方向矢印を入れた信号機のライトの全体図である、図１７は、そのライトに方向矢印を入れたライトの拡大図である、図１８は、方向矢印部分だけを示した拡大図である、図１９は、その上に斜線を入れて示した図である、図２０は、赤ライト、黄ライト、緑（青）ライトの三つの円の枠が縦に絡み連なった円において、方向矢印を入れ、その方向矢印を斜線で示した図である、図２１は、赤ライトの円の部分を基点に方向矢印を斜線で示した、図２２は黄ライトの円において方向矢印を斜線で示した。【００１５】図２３では制御機器４ａからの配線を下方のライトから順に（配線２５→ライトの緑又は青）に、（配線２６→ライトの黄）に、（配線２７→ライトの赤）に、（配線２７→ライトの赤、又は配線２５→矢印）に、（配線２７→ライトの赤）に、その各ライトにその配線を接続した、図２４では、下から順に緑→黄→赤→（赤＋矢印）→赤と順に点灯することを示した、図２５では、下から順に青→黄→赤→（赤＋矢印）→赤と順に点灯することを示した。【００１６】図２６では、制御機器４ａからの配線を下方のライトから順に（配線２５→ライトの緑又はライトの青）に、（配線２６→ライトの黄）に、（配線２６→ライト黄、又配線２５→矢印）に、（配線２７→ライトの赤、又配線２５→矢印）に、（配線２７→赤）の各ライトに、その配線を接続する、図２７では、ライトが下から順に、緑→黄→（黄＋矢印）→（赤＋矢印）→赤と順に点灯する、図２８では、ライトが下から順に、青→黄→（黄＋矢印）→（赤＋矢印）→赤と順に点灯する。【００１７】図２９では、制御機器４ａからの配線を、（配線２５→ライトの緑又は青）に、（配線２６→ライト黄）に、（配線２７→ライトの赤、又配線２５→順次点灯機器２１→配線２５→矢印）に、（配線２７ライトの赤、又配線２５→順次消灯機器２２→配線２５→矢印）に、（配線２７→ライトの赤）に、その各ライトに、その配線を接続する。【００１８】図３０では、順次点灯機器２１により配線２５を通り、矢印が順次小刻みに出現し形成する図である、図３１では、順次消灯機器２２により配線２５を通り、矢印が順次小刻みに消灯していく図である、図３２では、ライトが下から順に、緑（青）→黄→（赤＋順次小刻み点灯矢印）→（赤＋順次小刻み消灯矢印）→赤と順に点灯する。【００１９】図３３では、制御機器４ａからの配線を（配線２５→緑又は青）に、（配線２６→黄）に、（配線２７→赤、又配線２５→矢印）に、（配線２７→赤、又配線２５→点滅機器２３→配線２５→矢印）に、（配線２７→赤）の各ライト、その配線を接続する、図３４では、点灯機器２３により、点灯と消灯をくりかえす点滅の図である、その結果、図３５では、ライトが下方より、緑（青）→黄→（赤＋矢印）→（赤＋点滅矢印）→赤と順に点灯する。【００２０】図３６では、ライトの三個の円が、横に絡み連なる場合の全体図である、図３７では、ライトの三個の円が、横に絡み連なった形状の円が、限りなく一つの円に近いところから、三個の円が離れる寸前まで幅広いことを示した、図３８では、ライトの三個の円が横に絡み連なった三個の枠を外枠１０の中に、赤ライト枠１１、黄ライト枠１２、緑（青）ライト枠１３を示し、限りなく一つの円に近くなることを示した図である、図３９では、ライトの三個が横に絡み連なる形状の円が、離れる寸前までの信号機のライトを示した。【００２１】図４０では、三個の円が横に絡み連なった全体図であり、又別にその枠を左から右に緑（青）１３、黄１２、赤１１と示した、図４１では、制御機器からライトに配線２５から緑（青）ライトへ、配線２６から黄ライトへ、配線２７から赤ライトの各ライトへ接続した、その結果図４２では、ライトが左から右に、緑→黄→赤と点灯する、図４３では、ライトが青→黄→赤と点灯する。【００２２】図４４では、ライトの三個の円が、横に絡み連なるライトに方向矢印を入れた信号機の全体図である、図４５では、そのライト２を緑（青）枠１３、黄枠１２、赤枠１１を示した、図４６では、制御機器４ａの配線を（配線２５→緑；青）に、（配線２６→黄）に、（配線２７→赤）に、（配線２７→赤、又配線２５→矢印）に、（配線２７→赤）に、その配線を各ライトに接続した、その結果、図４７では、ライトが左から右に緑→黄→赤→（赤＋矢印）→赤と点灯する、図４８は、ライトが左から右に青→黄→赤→（赤＋矢印）→赤と点灯する。【００２３】図４９は、太陽光線等によりライトの明るさが薄れてみえにくくなる場合、受光板２８で受けた光の強弱を、光明コントロール機器２９で自動調整する（昼は夜より一段と明るくする）、これにより、うすれて見えにくくなったライトを強く光るためドライバーとしては、はっきり確認することができる。【００２４】図５０では、夜は月の光などでは、受光板２８で受けた光は弱いため、昼よりはライトの光を弱く、光明コントロール機器２９で自動調整する。
【図面の簡単な説明】
【００２５】
【図１】信号機の図である、又その横三個のライトが縦に絡み連なる図である。
【図２】ＬＥＤ一個の中に緑（青）、黄、赤の三光源の素子が入った図である。
【図３】緑（青）、黄、赤の三光源の素子が入っているＬＥＤの回路図である。
【図４】制御機器と電源作用で一個のＬＥＤが緑（青）、黄、赤と光色する図である。
【図５】一個のＬＥＤが緑→黄→赤と光色する図である。
【図６】一個のＬＥＤが青→黄→赤と光色する図である。
【図７】三光源のＬＥＤを取り付け裏面に配線を基板にセットした図である。
【図８】三個の円が縦に絡み連なるライトの表面図である。
【図９】縦に絡み連なるライトで、赤枠；黄枠；緑（青）枠を示した図である。
【図１０】制御機器から緑（青）；黄；赤のライトに配線した図である。
【図１１】信号機のライトが下方から緑→黄→赤と点灯する図である。
【図１２】信号機のライトが下方から青→黄→赤と点灯する図である。
【図１３】縦に連なる三個の円が一つの円に近くなることから、三個の円が離れる寸前までを示した図である。
【図１４】縦に連なる三個の円が限りなく一つの円に近いことを示した図であり、その枠を抜粋して示した図である。
【図１５】信号機のライトが縦に連なる三個の円が離れる寸前までを示し図。
【図１６】信号機の三個のライトが縦に絡み連なった形状に、方向矢印を入れた図。
【図１７】三個のライトが縦に絡み連なった形状に、方向矢印を入れた拡大図。
【図１８】矢印部分だけを示した拡大図である。
【図１９】方向矢印に斜線を入れて示した図である。
【図２０】三個のライトの抜粋した枠で、その中に方向矢印入れて斜線で示した。
【図２１】三個のライトの枠で、赤の円を基点に方向矢印を斜線で示した。
【図２２】三個のライトの枠で、黄の円を基点に方向矢印を斜線で示した。
【図２３】制御機器から下方より緑（青）；黄；赤；（赤と矢印）；赤の順に各ライトに配線で接続した。
【図２４】ライトを下方から緑→黄→赤→（赤＋矢印）→赤と点灯する図である。
【図２５】ライトを下方から青→黄→赤→（赤＋矢印）→赤と点灯する図である
【図２６】制御機器４ａから下方より緑（青）；黄；（黄と矢印）；（赤と矢印）；赤の順にライトに配線で接続した図である。
【図２７】ライトを下から緑→黄→（黄＋矢印）→（赤＋矢印）赤と点灯する図である。
【図２８】ライトを下から青→黄→（黄＋矢印）→（赤＋矢印）赤と点灯する図である。
【図２９】制御機器４ａにより各ライトに配線し、又配線２５から順次点灯機器２１と順次消灯機器２２に配線した図である。
【図３０】順次点灯機器２１により、方向矢印が順次小刻みに点灯形成していく図である。
【図３１】順次消灯機器２２により、方向矢印が順次小刻みに消灯していく図である。
【図３２】ライトが下から緑（青）→黄→（赤＋順次小刻み点灯）→（赤＋順次小刻消灯）と点灯する図である。
【図３３】制御機器４ａにより、各ライトに配線した図であり、又点滅機器２３を設置した、矢印を点滅にする配線図でもある。
【図３４】点滅機器２３により、矢印が点灯と消灯を繰り返し点滅する図である、点灯と消灯を繰り返す速さはダイヤル６で決める。
【図３５】ライトが下方より緑（青）→黄→（赤＋矢印）→（赤＋矢印点滅）→赤点灯する図である。
【図３６】信号機の全体図であり、その三個のライトが横に絡み連なる図である。
【図３７】横に連なる三個の円が、一個の円のように近くなるところから、離れるようとする寸前まで示した図である。
【図３８】横に連なる三個の円が、限りなく一つの円に近いことを示した図であり、その枠を抜粋して示した図である。
【図３９】横に並んだライトの三個の円が離れる寸前までを示した図である。
【図４０】横に絡み連なる信号機のライトで、緑（青）枠；黄枠；赤枠を示した図である。
【図４１】制御機器４からの配線を、緑（青）；黄；赤の各ライトに接続した図である。
【図４２】ライトが左から右に緑→黄→赤の順に点灯していく図である。
【図４３】ライトが左から右に青→黄→赤の順に点灯していく図である。
【図４４】ライトが横に絡み連なった形状に、方向矢印を入れた信号機である。
【図４５】ライトが横に絡み連なった形状に、方向矢印を入れた信号機のライトの枠を示した図である。
【図４６】制御機器４ａから、下方より緑（青）；黄；赤；（赤と矢印）；赤の順にライトに配線を接続した図である。
【図４７】ライトを緑→黄→赤→（赤＋矢印）→赤と順に点灯する図である。
【図４８】ライトを青→黄→赤→（赤＋矢印）→赤と順に点灯する図である。
【図４９】信号機のライトの光が、昼はかすれて見えるのを、そのライトの光の照度を強く光るようにした。
【図５０】信号機のライトの光を、夜は昼よりは、制限して光るようにした。
【符号の説明】
【００２６】１    緑（青）、黄、赤の三光源の素子が入っているＬＥＤ
２    ライト
３    矢印
４    制御機器
５    電源（バッテリー）
６    ダイヤル
７    ダイオード
８    コンデンサー
９    基板
１０  外枠
１１  赤ライトの円の枠
１２  黄ライトの円の枠
１３  緑（青）ライトの円の枠
１４  アノード（Ａ）の足
１５  カソード（Ｋ）緑（青）の足
１６  カソード（Ｋ）黄の足
１７  カソード（Ｋ）赤の足
１８  緑（青）の素子
１９  黄の素子
２０  赤の素子
２１  順次点灯機器
２２  順次消灯機器
２３  点滅機器
２４  ＬＥＤの（Ａ）の足に接続する配線
２５  ＬＥＤの緑（Ｋ）又は青（Ｋ）の足に接続する配線
２６  ＬＥＤの黄（Ｋ）の足に接続する配線
２７  ＬＥＤの赤（Ｋ）の足に接続する配線
２８  受光板
２９  光明コントロール機器
【図１】
2016157406.tif 000003
【図２】
2016157406.tif 000004
【図３】
2016157406.tif 000005
【図４】
2016157406.tif 000006
【図５】
2016157406.tif 000007
【図６】
2016157406.tif 000008
【図７】
2016157406.tif 000009
【図８】
2016157406.tif 000010
【図９】
2016157406.tif 000011
【図１０】
2016157406.tif 000012
【図１１】
2016157406.tif 000013
【図１２】
2016157406.tif 000014
【図１３】
2016157406.tif 000015
【図１４】
2016157406.tif 000016
【図１５】
2016157406.tif 000017
【図１６】
2016157406.tif 000018
【図１７】
2016157406.tif 000019
【図１８】
2016157406.tif 000020
【図１９】
2016157406.tif 000021
【図２０】
2016157406.tif 000022
【図２１】
2016157406.tif 000023
【図２２】
2016157406.tif 000024
【図２３】
2016157406.tif 000025
【図２４】
2016157406.tif 000026
【図２５】
2016157406.tif 000027
【図２６】
2016157406.tif 000028
【図２７】
2016157406.tif 000029
【図２８】
2016157406.tif 000030
【図２９】
2016157406.tif 000031
【図３０】
2016157406.tif 000032
【図３１】
2016157406.tif 000033
【図３２】
2016157406.tif 000034
【図３３】
2016157406.tif 000035
【図３４】
2016157406.tif 000036
【図３５】
2016157406.tif 000037
【図３６】
2016157406.tif 000038
【図３７】
2016157406.tif 000039
【図３８】
2016157406.tif 000040
【図３９】
2016157406.tif 000041
【図４０】
2016157406.tif 000042
【図４１】
2016157406.tif 000043
【図４２】
2016157406.tif 000044
【図４３】
2016157406.tif 000045
【図４４】
2016157406.tif 000046
【図４５】
2016157406.tif 000047
【図４６】
2016157406.tif 000048
【図４７】
2016157406.tif 000049
【図４８】
2016157406.tif 000050
【図４９】
2016157406.tif 000051
【図５０】
2016157406.tif 000052